(57)【要約】【課題】パスワード機能を向上させる携帯装置、通信システムおよび転送方法を提供する。【解決手段】所定のパスワードを記憶する外部装置と通信可能な携帯装置は、所定のパスワードを記憶する記憶部と、ユーザ操作により入力される、携帯装置が有する機能の実行指示を受け付ける入力部と、入力部が実行指示を受け付けると、所定のパスワードを要求する旨の要求情報を外部装置宛てに送信する送信部と、送信部が要求情報を送信した後にパスワードを受信する受信部と、受信部が受信したパスワードが、記憶部内の所定のパスワードと一致すると、携帯装置が有する機能の使用を許可する処理部と、を含む。【選択図】図１
2012103783.tif 000002
【特許請求の範囲】
【請求項１】
所定のパスワードを記憶する外部装置と通信可能な携帯装置であって、
前記所定のパスワードを記憶する記憶手段と、
ユーザ操作により入力される、前記携帯装置が有する機能の実行指示を受け付ける受付手段と、
前記受付手段が前記実行指示を受け付けると、前記所定のパスワードを要求する旨の要求情報を前記外部装置宛てに送信する送信手段と、
前記送信手段が前記要求情報を送信した後にパスワードを受信する受信手段と、
前記受信手段が受信したパスワードが、前記記憶手段内の所定のパスワードと一致すると、前記携帯装置が有する機能の使用を許可する処理手段と、を含む携帯装置。
【請求項２】
請求項１に記載の携帯装置において、
前記携帯装置は、複数の機能を有するものであり、
前記記憶手段は、前記機能ごとに、前記所定のパスワードと、該機能を識別する識別情報と、を互いに対応付けて記憶し、
前記送信手段は、前記受付手段が前記複数の機能のいずれかの機能の実行指示を受け付けると、前記識別情報のうち該機能を識別する特定識別情報に対応付けられた所定のパスワードを要求する旨の要求情報を、前記外部装置宛てに送信し、
前記処理手段は、前記受信手段が受信したパスワードが、前記特定識別情報に対応付けられた所定のパスワードと一致すると、該特定識別情報にて識別された機能の使用を許可する、携帯装置。
【請求項３】
所定のパスワードを記憶する外部装置と、前記外部装置と通信可能な携帯装置と、を有する通信システムであって、
前記携帯装置は、
前記所定のパスワードを記憶する記憶手段と、
ユーザ操作により入力される、前記携帯装置が有する機能の実行指示を受け付ける受付手段と、
前記受付手段が前記実行指示を受け付けると、前記所定のパスワードを要求する旨の要求情報を前記外部装置宛てに送信する送信手段と、
前記送信手段が前記要求情報を送信した後にパスワードを受信する受信手段と、
前記受信手段が受信したパスワードが、前記記憶手段内の所定のパスワードと一致すると、前記携帯装置が有する機能の使用を許可する処理手段と、を含み、
前記外部装置は、前記要求情報を受信すると、前記所定のパスワードを前記携帯装置宛てに送信する、通信システム。
【請求項４】
請求項３に記載の通信システムにおいて、
前記携帯装置は、複数の機能を有するものであり、
前記記憶手段は、前記機能ごとに、前記所定のパスワードと、該機能を識別する識別情報と、を互いに対応付けて記憶し、
前記送信手段は、前記受付手段が前記複数の機能のいずれかの機能の実行指示を受け付けると、前記識別情報のうち該機能を識別する特定識別情報に対応付けられた所定のパスワードを要求する旨の要求情報を、前記外部装置宛てに送信し、
前記処理手段は、前記受信手段が受信したパスワードが、前記特定識別情報に対応付けられた所定のパスワードと一致すると、該特定識別情報にて識別された機能の使用を許可し、
前記外部装置は、
前記機能ごとに、前記所定のパスワードと、該機能を識別する識別情報と、を互いに対応付けて記憶する外部記憶手段と、
前記要求情報を受信すると、前記外部記憶手段内の識別情報のうちの前記特定識別情報に対応付けられた所定のパスワードを前記携帯装置宛てに送信する外部送信手段と、を含む、通信システム。
【請求項５】
所定のパスワードを記憶する外部装置と通信可能な携帯装置のパスワード取得方法であって、
前記所定のパスワードを記憶手段に記憶する記憶ステップと、
ユーザ操作により入力される、前記携帯装置が有する機能の実行指示を受け付ける受付ステップと、
前記受付ステップにて前記実行指示が受け付けられると、前記所定のパスワードを要求する旨の要求情報を前記外部装置宛てに送信する送信ステップと、
前記送信ステップにて前記要求情報が送信された後にパスワードを受信する受信ステップと、
前記受信ステップにて受信されたパスワードが、前記記憶手段内の所定のパスワードと一致すると、前記携帯装置が有する機能の使用を許可する処理ステップと、を含むパスワード取得方法。
【請求項６】
請求項５に記載のパスワード取得方法において、
前記携帯装置は、複数の機能を有するものであり、
前記記憶ステップでは、前記機能ごとに、前記所定のパスワードと、該機能を識別する識別情報と、を互いに対応付けて記憶し、
前記送信ステップでは、前記受付ステップにて前記複数の機能のいずれかの機能の実行指示が受け付けられると、前記識別情報のうち該機能を識別する特定識別情報に対応付けられた所定のパスワードを要求する旨の要求情報を、前記外部装置宛てに送信し、
前記処理ステップでは、前記受信ステップにて受信されたパスワードが、前記特定識別情報に対応付けられた所定のパスワードと一致すると、該特定識別情報にて識別された機能の使用を許可する、パスワード取得方法。
【請求項７】
所定のパスワードを記憶する外部装置と、前記外部装置と通信可能な携帯装置と、を有する通信システムのパスワード取得方法であって、
前記携帯装置が、前記所定のパスワードを記憶手段に記憶する記憶ステップと、
前記携帯装置が、ユーザ操作により入力される、前記携帯装置が有する機能の実行指示を受け付ける受付ステップと、
前記携帯装置が、前記受付ステップにて前記実行指示が受け付けられると、前記所定のパスワードを要求する旨の要求情報を前記外部装置宛てに送信する第１送信ステップと、
前記外部装置が、前記要求情報を受信すると、前記所定のパスワードを前記携帯装置宛てに送信する第２送信ステップと、
前記携帯装置が、前記第１送信ステップにて前記要求情報が送信された後にパスワードを受信する受信ステップと、
前記携帯装置が、前記受信ステップにて受信されたパスワードが、前記記憶手段内の所定のパスワードと一致すると、前記携帯装置が有する機能の使用を許可する処理ステップと、を含むパスワード取得方法。
【請求項８】
請求項７に記載のパスワード取得方法において、
前記携帯装置は、複数の機能を有し、前記機能ごとに、前記所定のパスワードと、該機能を識別する識別情報と、を互いに対応付けて前記記憶手段に記憶するものであり、
前記外部装置は、前記機能ごとに、前記所定のパスワードと、該機能を識別する識別情報と、を互いに対応付けて外部記憶手段に記憶するものであり、
前記第１送信ステップでは、前記携帯装置は、前記受付ステップにて前記複数の機能のいずれかの機能の実行指示が受け付けられると、前記識別情報のうち該機能を識別する特定識別情報に対応付けられた所定のパスワードを要求する旨の要求情報を、前記外部装置宛てに送信し、
前記第２送信ステップでは、前記外部装置は、前記要求情報を受信すると、前記外部記憶手段内の識別情報のうちの前記特定識別情報に対応付けられた所定のパスワードを前記携帯装置宛てに送信し、
前記処理ステップでは、前記携帯装置は、前記受信ステップにて受信されたパスワードが、前記特定識別情報に対応付けられた所定のパスワードと一致すると、該特定識別情報にて識別された機能の使用を許可する、パスワード取得方法。
【発明の詳細な説明】
【技術分野】
【０００１】
本発明は、携帯装置、通信システムおよびパスワード取得方法に関する。
【背景技術】
【０００２】
特許文献１には、機能の不正使用の防止を図る装置が記載されている。特許文献１に記載の装置は、外部装置と無線で通信を行う通信装置と、認証データを格納するメモリと、を備えている。外部装置は、外部記憶装置を備え、メモリに格納された認証データと同じ認証データを外部記憶装置に記憶している。なお、認証データとしては、例えば、使用者により入力されたパスワードが用いられる。
【０００３】
特許文献１に記載の装置は、外部装置を携帯している使用者によって電源が投入されると、外部装置に対し認証データの送信要求を行う。外部装置は、認証データの送信要求が行われると、外部記憶装置に記憶された認証データを送信する。特許文献１に記載の装置は、外部装置から、認識データを受信し、その認識データがメモリに格納された認識データと一致すると、特許文献１に記載の装置が有する機能の使用を許可する。
【先行技術文献】
【特許文献】
【０００４】
【特許文献１】特開平１１−２４７８１号公報
【発明の概要】
【発明が解決しようとする課題】
【０００５】
特許文献１に記載の装置は、使用者が携帯している外部装置から、認識データを受信し、その認識データがメモリに格納された認識データと一致すると、特許文献１に記載の装置が有する機能の使用を許可する。このため、外部装置を携帯している使用者は、特許文献１に記載の装置が有する機能を使用できるようになる。
【０００６】
しかしながら、使用者が特許文献１に記載の装置が有する機能を使用した後に、例えば、盗難、紛失、置き忘れ等により、使用者以外の者が特許文献１の記載の装置を使用したとしても、特許文献１に記載の装置は、機能の使用を許可する。
【０００７】
このため、特定の者にのみ機能の使用を許可するパスワード機能が有効に働かないことがあるという問題があった。
【０００８】
本発明の目的は、パスワード機能を向上させる携帯装置、通信システムおよびパスワード取得方法を提供することにある。
【課題を解決するための手段】
【０００９】
本発明の携帯装置は、所定のパスワードを記憶する外部装置と通信可能な携帯装置であって、前記所定のパスワードを記憶する記憶手段と、ユーザ操作により入力される、前記携帯装置が有する機能の実行指示を受け付ける受付手段と、前記受付手段が前記実行指示を受け付けると、前記所定のパスワードを要求する旨の要求情報を前記外部装置宛てに送信する送信手段と、前記送信手段が前記要求情報を送信した後にパスワードを受信する受信手段と、前記受信手段が受信したパスワードが、前記記憶手段内の所定のパスワードと一致すると、前記携帯装置が有する機能の使用を許可する処理手段と、を含む。
【００１０】
本発明の通信システムは、  所定のパスワードを記憶する外部装置と、前記外部装置と通信可能な携帯装置と、を有する通信システムであって、
前記携帯装置は、前記所定のパスワードを記憶する記憶手段と、ユーザ操作により入力される、前記携帯装置が有する機能の実行指示を受け付ける受付手段と、前記受付手段が前記実行指示を受け付けると、前記所定のパスワードを要求する旨の要求情報を前記外部装置宛てに送信する送信手段と、前記送信手段が前記要求情報を送信した後にパスワードを受信する受信手段と、前記受信手段が受信したパスワードが、前記記憶手段内の所定のパスワードと一致すると、前記携帯装置が有する機能の使用を許可する処理手段と、を含み、前記外部装置は、前記要求情報を受信すると、前記所定のパスワードを前記携帯装置宛てに送信する。
【００１１】
本発明のパスワード取得方法は、所定のパスワードを記憶する外部装置と通信可能な携帯装置のパスワード取得方法であって、前記所定のパスワードを記憶手段に記憶する記憶ステップと、ユーザ操作により入力される、前記携帯装置が有する機能の実行指示を受け付ける受付ステップと、前記受付ステップにて前記実行指示が受け付けられると、前記所定のパスワードを要求する旨の要求情報を前記外部装置宛てに送信する送信ステップと、前記送信ステップにて前記要求情報が送信された後にパスワードを受信する受信ステップと、前記受信ステップにて受信されたパスワードが、前記記憶手段内の所定のパスワードと一致すると、前記携帯装置が有する機能の使用を許可する処理ステップと、を含む。
【００１２】
本発明のパスワード取得方法は、所定のパスワードを記憶する外部装置と、前記外部装置と通信可能な携帯装置と、を有する通信システムのパスワード取得方法であって、前記携帯装置が、前記所定のパスワードを記憶手段に記憶する記憶ステップと、前記携帯装置が、ユーザ操作により入力される、前記携帯装置が有する機能の実行指示を受け付ける受付ステップと、前記携帯装置が、前記受付ステップにて前記実行指示が受け付けられると、前記所定のパスワードを要求する旨の要求情報を前記外部装置宛てに送信する第１送信ステップと、前記外部装置が、前記要求情報を受信すると、前記所定のパスワードを前記携帯装置宛てに送信する第２送信ステップと、前記携帯装置が、前記第１送信ステップにて前記要求情報が送信された後にパスワードを受信する受信ステップと、前記携帯装置が、前記受信ステップにて受信されたパスワードが、前記記憶手段内の所定のパスワードと一致すると、前記携帯装置が有する機能の使用を許可する処理ステップと、を含む。
【発明の効果】
【００１３】
本発明によれば、パスワード機能を向上させることが可能になる。
【図面の簡単な説明】
【００１４】
【図１】本発明の第１実施形態における携帯装置の構成例を示すブロック図である。
【図２】第１実施形態における外部装置の構成例を示すブロック図である。
【図３】第１実施形態でのパスワード取得方法を示すフローチャートである。
【図４】本発明の第２実施形態における携帯装置の構成例を示すブロック図である。
【図５】第２実施形態でのパスワード取得方法を示すフローチャートである。
【発明を実施するための形態】
【００１５】
以下、本発明の実施形態について図面を参照して説明する。
【００１６】
図１は、本発明の第１実施形態における携帯装置の構成例を示す図である。
【００１７】
携帯装置１００は、特定の者にのみ携帯装置１００が有する機能の使用を許可するパスワード機能を有する。携帯装置１００は、外部装置と通信可能な無線情報端末である。携帯装置１００は、入力部１１０と、記憶部１２０と、ＢＴ（Bluetooth）部１３０と、処理部１４０と、を備える。携帯装置１００は、外部装置と共に通信システムを構成する。
【００１８】
図２は、第１実施形態における外部装置の構成例を示す図である。
【００１９】
外部装置２００は、携帯装置１００のユーザを特定するためのユーザパスワードを記憶するサブ機である。ユーザパスワードは、一般的に所定のパスワードと呼ぶことができる。外部装置２００は、記憶部２１０と、処理部２２１と、を備える。
【００２０】
記憶部２１０は、一般的に外部記憶手段と呼ぶことができる。
【００２１】
記憶部２１０は、携帯装置１００のユーザパスワードと、携帯装置１００を識別するための機器情報と、を互いに対応付けて記憶する。また、記憶部２１０は、携帯装置１００のユーザパスワードの登録を許可するための登録パスワードを記憶する。
【００２２】
処理部２２１は、一般的に外部送信手段と呼ぶことができる。
【００２３】
処理部２２１は、携帯装置１００と無線により通信を行う。処理部２２１は、例えば、携帯装置１００のユーザパスワードを、携帯装置１００宛てに送信する。処理部２２１は、ＢＴ部２２０と、制御部２３０と、機器情報照合部２４０と、ＰＷ照合部２５０と、を備える。
【００２４】
図１に戻り、入力部１１０は、一般的に受付手段と呼ぶことができる。
【００２５】
入力部１１０は、ユーザ操作により入力される指示を受け付ける。入力部１１０は、例えば、ユーザ操作により、携帯装置１００が有する機能の実行指示を受け付ける。
【００２６】
本実施形態では、入力部１１０は、ユーザ操作により、携帯装置１００が有する機能のうち、ユーザパスワードの入力が必要な機能の実行指示を受け付ける。以下、ユーザパスワードの入力が必要な機能は、秘匿対象機能と称される。秘匿対象機能としては、例えば、電話番号ごとに個人名と電話番号とを示す電話帳を表示する機能が考えられる。
【００２７】
本実施形態では、携帯装置１００は、複数の秘匿対象機能を有する。よって、入力部１１０は、複数の秘匿対象機能のいずれかの機能の実行指示を受け付ける。入力部１１０は、ユーザ操作により入力された指示を受け付けると、そのユーザ操作により入力された指示を、処理部１４０に供給する。
【００２８】
記憶部１２０は、一般的に記憶手段と呼ぶことができる。
【００２９】
記憶部１２０は、携帯装置１００のユーザを特定するためのユーザパスワードを記憶する。
【００３０】
記憶部１２０は、例えば、秘匿対象機能ごとに、ユーザ操作により秘匿対象機能の実行指示を識別するための操作番号と、ユーザパスワードと、を互いに対応付けて記憶する。操作番号は、秘匿対象機能を識別する識別情報として用いられる。なお、操作番号は、ユーザパスワードの入力が必要な秘匿対象機能ごとに決められており、ユーザパスワードが、何の秘匿対象機能に対するユーザパスワードであるかを識別するためにも用いられる。
【００３１】
本実施形態では、記憶部１２０は、複数の秘匿対象機能ごとに、操作番号と、ユーザパスワードと、パスワードフラグと、を互いに対応付けて記憶する。パスワードフラグは、パスワードの入力が必要な秘匿対象機能ごとに設けられており、ユーザパスワードが外部装置２００内の記憶部２１０に未登録か、登録済みか、を確認するために用いられる。本実施形態では、ユーザパスワードが登録済みである場合に、パスワードフラグは「１」を示し、ユーザパスワードが未登録である場合に、パスワードフラグは「０」を示す。
【００３２】
ＢＴ部１３０は、Ｂｌｕｅｔｏｏｔｈ機能を有する。ＢＴ部１３０は、外部装置２００と無線で通信を行う。ＢＴ部１３０は、外部装置２００との距離が、無線での接続可能な距離内である場合に、外部装置２００と通信を行う。本実施形態では、ＢＴ部１３０は、送信部１３１と、受信部１３２と、を備える。
【００３３】
送信部１３１は、一般的に送信手段と呼ぶことができる。
【００３４】
送信部１３１は、入力部１１０が、秘匿対象機能の実行指示を受け付けると、ユーザパスワードを要求する旨の要求情報を、外部装置２００宛てに送信する。
【００３５】
送信部１３１は、例えば、入力部１１０が、秘匿対象機能のいずれかの該当機能の実行指示を受け付けると、操作番号のうち、該当機能を識別する該当操作番号に対応付けられたユーザパスワードを要求する旨の要求情報を、外部装置２００宛てに送信する。
【００３６】
本実施形態では、入力部１１０が、ユーザ操作により、秘匿対象機能の実行指示を受け付けると、秘匿対象機能の実行指示を、処理部１４０に供給する。処理部１４０は、入力部１１０から、秘匿対象機能の実行指示を受け付けると、その実行指示が、操作番号にて識別される実行指示であるか否かを判断する。処理部１４０は、操作番号にて識別された秘匿対象機能の実行指示を特定すると、その操作番号を、該当操作番号として送信部１３１に供給する。
【００３７】
送信部１３１は、処理部１４０から、該当操作番号を受け付けると、該当操作番号と携帯装置１００の装置番号とを含む機器情報を、外部装置２００内のＢＴ部２２０宛てに送信する。機器情報は、該当操作番号に対応付けられたユーザパスワードを要求する旨の要求情報として用いられる。なお、装置番号は、複数の携帯装置１００ごとに一意に割り当てられた固有の装置識別子である。
【００３８】
外部装置２００は、機器情報を受信すると、記憶部内のユーザパスワードを携帯装置１００宛てに送信する。本実施形態では、記憶部２１０は、複数の秘匿対象機能ごとに、秘匿対象機能の実行指示を識別するための操作番号を含む機器情報と、ユーザパスワードと、を互いに対応付けて記憶する。
【００３９】
よって、処理部２２１は、機器情報を受信すると、記憶部２１０内の機器情報のうち、受信した識別情報に対応付けられたユーザパスワードを、携帯装置１００宛てに送信する。
【００４０】
ＢＴ部２２０は、Ｂｌｕｅｔｏｏｔｈ機能を有する。ＢＴ部２２０は、携帯装置１００内のＢＴ部１３０と無線により通信を行う。ＢＴ部２２０は、送信部１３１から機器情報を受信する。ＢＴ部２２０は、送信部１３１から機器情報を受信すると、その機器情報を、制御部２３０に供給する。
【００４１】
制御部２３０は、記憶部２１０と、ＢＴ部２２０と、機器情報照合部２４０と、ＰＷ照合部２５０と、を制御する。制御部２３０は、例えば、ＢＴ部２２０から機器情報を受け付けると、その機器情報を、機器情報照合部２４０に供給する。
【００４２】
機器情報照合部２４０は、制御部２３０から、ＢＴ部２２０にて受信された機器情報を受け付けると、その機器情報と記憶部２１０内の機器情報とを照合する。機器情報照合部２４０は、ＢＴ部２２０にて受信された機器情報と記憶部２１０内の機器情報とが一致すると、記憶部２１０内の機器情報に対応付けられたユーザパスワードを、制御部２３０を介してＢＴ部２２０に供給する。ＢＴ部２２０は、ユーザパスワードを受け付けると、そのユーザパスワードを、携帯装置１００内の受信部１３２に送信する。
【００４３】
受信部１３２は、一般的に受信手段と呼ぶことができる。
【００４４】
受信部１３２は、送信部１３１が携帯装置１００の機器情報を送信した後に、ユーザパスワードを受信する。受信部１３２は、外部装置２００内のＢＴ部２２０から、ユーザパスワードを受信すると、そのユーザパスワードを、処理部１４０に供給する。
【００４５】
処理部１４０は、一般的に処理手段と呼ぶことができる。
【００４６】
処理部１４０は、受信部１３２が受信したユーザパスワードが、記憶部１２０内のユーザパスワードと一致すると、携帯装置１００が有する秘匿対象機能の使用を許可する。
【００４７】
処理部１４０は、例えば、受信部１３２が受信したユーザパスワードが、該当操作番号に対応付けられたユーザパスワードと一致すると、該当操作番号が識別する実行指示にて特定される機能の実行を許可する。
【００４８】
本実施形態では、処理部１４０は、入力部１１０から、秘匿対象機能の実行指示を受け付けた後、受信部１３２から、ユーザパスワードを受け付け、そのユーザパスワードと記憶部１２０内のユーザパスワードとが一致すると、入力部１１０から供給された実行指示にて特定される秘匿対象機能の使用を許可する。すなわち、処理部１４０は、受信部１３２からユーザパスワードを受け付け、そのユーザパスワードと記憶部１２０内のユーザパスワードとが一致すると、秘匿対象機能のユーザパスワードを解除する。
【００４９】
なお、処理部１４０は、秘匿対象機能の使用を許可した後、再び、許可した秘匿対象機能の実行指示を受け付けると、受信部１３２で受信されたユーザパスワードと記憶部１２０内のユーザパスワードとの照合を再度行う。
【００５０】
本実施形態では、処理部１４０は、無線通信部１４１と、表示部１４２と、制御部１４３と、を備える。
【００５１】
無線通信部１４１は、通信相手と携帯電話網を介して無線情報の送信および受信を行う。無線情報としては、例えば、通話に伴う音声信号、または、電子メールを示すメールデータなどが挙げられる。
【００５２】
表示部１４２は、ユーザ操作により入力された指示を示す入力情報を受け付けると、その入力情報を表示する。また、表示部１４２は、例えば、入力部１１０が秘匿対象機能の実行指示を受け付けると、ユーザパスワードの入力画面を表示する。
【００５３】
制御部１４３は、記憶部１２０と、ＢＴ部１３０と、無線通信部１４１と、表示部１４２と、を制御する。なお、制御部１４３は、電話の発着信と、電子メールの送受信と、不図示のカメラの制御と、ＧＰＳ（Global Positioning System）情報の取得に伴う制御なども行う。
【００５４】
ここで、入力部１１０が、記憶部２１０にユーザパスワードが未登録である秘匿対象機能のうちの特定機能の実行指示を受け付けた場合の通信システムの動作について説明する。なお、記憶部１２０は、特定機能の実行指示を識別するための該当操作番号を記憶している。
【００５５】
制御部１４３は、入力部１１０からの機能の実行指示が、該当操作番号にて識別された特定機能の実行指示であると特定すると、ＢＴ部１３０が、外部装置２００内のＢＴ部２２０と接続状態を行い、ＢＴ部２２０と接続状態であるか否かを確認する。
【００５６】
制御部１４３は、ＢＴ部１３０がＢＴ部２２０と接続状態であることを確認すると、過去にユーザパスワードの登録を行ったかどうかを確認するために、記憶部１２０内の該当操作番号に対応付けられた該当パスワードフラグの確認を行う。
【００５７】
制御部１４３は、該当パスワードフラグが「０」を示す場合には、ユーザパスワードの外部装置２００への登録を促すために、ユーザパスワードを外部装置２００に登録するための外部装置用のパスワードの入力画面を、表示部１４２に表示する。よって、入力部１１０は、ユーザ操作による外部装置用のパスワードの入力待ち状態となる。
【００５８】
入力部１１０は、ユーザ操作により、外部装置用のパスワードを受け付けると、外部装置用のパスワードを、制御部１４３に供給する。制御部１４３は、入力部１１０から外部装置用のパスワードを受け付けると、外部装置用のパスワードを、送信部１３１に供給する。送信部１３１は、外部装置用のパスワードを受け付けると、外部装置用のパスワードを、外部装置２００に送信する。
【００５９】
外部装置２００内のＢＴ部２２０は、送信部１３１から、外部装置用のパスワードを受信すると、外部装置用のパスワードを、制御部２３０に供給し、制御部２３０は、外部装置用のパスワードを受け付けると、その外部装置用のパスワードを、ＰＷ照合部２５０に供給する。
【００６０】
ＰＷ照合部２５０は、制御部２３０から、外部装置用のパスワードを受け付けると、外部装置用のパスワードと記憶部２１０内の登録パスワードとを照合する。ＰＷ照合部２５０は、外部装置用のパスワードと記憶部２１０内の登録パスワードとの照合結果を、制御部２３０に供給する。
【００６１】
制御部２３０は、ＰＷ照合部２５０から、外部装置用のパスワードと記憶部２１０内の登録パスワードとが一致する旨の照合結果を受け付けると、パスワードの一致を示す返答を、ＢＴ部２２０に供給する。ＢＴ部２２０は、制御部２３０から、パスワードの一致を示す返答を受け付けると、その返答を、携帯装置１００に送信する。
【００６２】
携帯装置１００内の受信部１３２は、ＢＴ部２２０から、パスワードの一致を示す返答を受信すると、その返答を、制御部１４３に供給する。制御部１４３は、受信部１３２から、パスワードの一致を示す返答を受け付けると、ユーザパスワードの入力画面を、表示部１４２に表示する。入力部１１０は、ユーザ操作により入力された特定のパスワードを受け付けると、特定のパスワードを入力パスワードとして、制御部１４３に供給する。
【００６３】
制御部１４３は、入力部１１０から、入力パスワードを受け付けると、入力パスワードを、記憶部１２０に出力する。記憶部１２０は、入力パスワードを受け付けると、入力パスワードを、ユーザパスワードとして該当操作番号と対応付けて記憶する。また、制御部１４３は、入力部１１０から、入力パスワードを受け付けると、入力パスワードと該当操作番号とを、送信部１３１に供給する。
【００６４】
送信部１３１は、制御部１４３から、入力パスワードと該当操作番号とを受け付けると、該当操作番号と携帯装置１００の装置番号とを含む機器情報に入力パスワードを付加し、入力パスワードが付加された機器情報を、外部装置２００に送信する。
【００６５】
外部装置２００内のＢＴ部２２０は、送信部１３１から、入力パスワードが付加された機器情報を受信すると、入力パスワードが付加された機器情報を、制御部２３０に供給する。制御部２３０は、ＢＴ部２２０から、入力パスワードが付加された機器情報を受け付けると、入力パスワードと機器情報とを、記憶部２１０に出力する。
【００６６】
記憶部２１０は、入力パスワードと機器情報とを受け付けると、入力パスワードと機器情報とを対応付けて記憶する。すなわち、記憶部２１０は、携帯装置１００の秘匿対象機能ごとに、ユーザパスワードと、秘匿対象機能を識別する識別情報と、を互いに対応付けて記憶する。
【００６７】
また、携帯装置１００内の制御部１４３は、入力部１１０から、入力パスワードを受け付けると、該当操作番号に対応付けられた該当パスワードフラグを「１」に更新する。
【００６８】
なお、記憶部１２０が、入力パスワードと該当操作番号とを記憶した後、入力部１１０が特定機能の実行指示を新たに受け付けると、送信部１３１は、記憶部２１０内の入力パスワードを要求する旨の要求情報として、該当操作番号を、外部装置２００に送信する。
【００６９】
本実施形態では、記憶部１２０が、入力パスワードと該当操作番号とを記憶した後、制御部１４３は、入力部１１０から特定機能の実行指示を新たに受け付け、該当操作番号に対応付けられた該当パスワードフラグが「１」を示す場合には、該当操作番号を、送信部１３１に供給する。送信部１３１は、制御部１４３から該当操作番号を受け付けると、要求情報として、該当操作番号と装置番号とを含む機器情報を、外部装置２００に送信する。
【００７０】
外部装置２００内のＢＴ部２２０は、送信部１３１から機器情報を受信すると、その機器情報を、制御部２３０に供給する。制御部２３０は、ＢＴ部２２０から機器情報を受け付けると、その機器情報を、機器情報照合部２４０に供給する。
【００７１】
機器情報照合部２４０は、制御部２３０から、機器情報を受け付け、その機器情報と記憶部２１０内の機器情報とが一致すると、機器情報に対応付けられた入力パスワードを、制御部２３０を介してＢＴ部２２０に供給する。ＢＴ部２２０は、入力パスワードを受け付けると、その入力パスワードを、携帯装置１００に送信する。
【００７２】
携帯装置１００内の受信部１３２は、ＢＴ部２２０から、入力パスワードを受信すると、その入力パスワードを、制御部１４３に供給する。制御部１４３は、受信部１３２から、入力パスワードを受け付け、その入力パスワードと記憶部１２０内の入力パスワードとが一致すると、特定機能の使用を許可する。
【００７３】
次に、携帯装置１００と外部装置２００とを有する通信システムの動作について説明する。
【００７４】
図３は、第１実施形態でのパスワード取得方法の処理手順例を示すフローチャートである。
【００７５】
まず、携帯装置１００がユーザによって最初に使用される状況で、ユーザ操作により、外部装置２００内のＢＴ部２２０の機器登録が行われ、携帯装置１００が外部装置２００と接続可能な状態に設定される（ステップＳ１０１）。その後、入力部１１０は、通話やメール送受信などの通常操作により入力された機能の実行指示を受け付け、機能の実行指示を、制御部１４３に供給する（ステップＳ１０２）。
【００７６】
制御部１４３は、入力部１１０から機能の実行指示を受け付けると、その機能の実行指示が、記憶部１２０内の操作番号にて識別される秘匿対象機能の実行指示であるか否かを、判断する（ステップＳ１０３）。制御部１４３は、記憶部１２０内の該当操作番号にて秘匿対象機能の実行指示を特定すると、ＢＴ部１３０が外部装置２００と接続を行い、外部装置２００と接続状態か否かを確認する（ステップＳ１０４）。
【００７７】
制御部１４３は、ＢＴ部１３０が外部装置２００と接続状態であれば、過去にユーザパスワードの登録を行ったかどうかを確認するために、記憶部１２０を参照し、該当操作番号に対応付けられたパスワードフラグの確認を行う（ステップＳ１０５）。
【００７８】
制御部１４３は、パスワードフラグが「０」を示す場合には、ユーザパスワードが未登録と判断し、ユーザパスワードの外部装置２００への登録を促すために、外部装置用のパスワードの入力画面を、表示部１４２に表示する（ステップＳ１０６）。よって、入力部１１０は、ユーザ操作による外部装置用のパスワードの入力待ち状態となる。
【００７９】
入力部１１０は、ユーザ操作により、外部装置用のパスワードを受け付ける（ステップＳ１０７）と、外部装置用のパスワードを、制御部１４３に供給する。制御部１４３は、入力部１１０から外部装置用のパスワードを受け付けると、外部装置用のパスワードを、送信部１３１に供給する。送信部１３１は、外部装置用のパスワードを受け付けると、外部装置用のパスワードを、外部装置２００に送信する。
【００８０】
外部装置２００内のＢＴ部２２０は、送信部１３１から、外部装置用のパスワードを受信すると、外部装置用のパスワードを、制御部２３０に供給し、制御部２３０は、外部装置用のパスワードを受け付けると、その外部装置用のパスワードを、ＰＷ照合部２５０に供給する。
【００８１】
ＰＷ照合部２５０は、制御部２３０から外部装置用のパスワードを受け付けると、外部装置用のパスワードと記憶部２１０内の登録パスワードとを照合する。ＰＷ照合部２５０は、外部装置用のパスワードと記憶部２１０内の登録パスワードとの照合結果を、制御部２３０に供給する。
【００８２】
制御部２３０は、ＰＷ照合部２５０から、外部装置用のパスワードと記憶部２１０内の登録パスワードとが一致する旨の照合結果を受け付けると、パスワードの一致を示す返答を、ＢＴ部２２０に供給する。ＢＴ部２２０は、制御部２３０から、パスワードの一致を示す返答を受け付けると、その返答を、携帯装置１００に送信する。
【００８３】
携帯装置１００内の受信部１３２は、ＢＴ部２２０から、パスワードの一致を示す返答を受信すると、その返答を制御部１４３に供給する。制御部１４３は、受信部１３２から、パスワードの一致を示す返答を受け付けると、ユーザパスワードの入力画面を、表示部１４２に表示する（ステップＳ１０８）。よって、入力部１１０は、ユーザ操作によるユーザパスワードの入力待ち状態となる。
【００８４】
入力部１１０は、ユーザ操作により入力されたユーザパスワードを受け付ける（ステップＳ１０９）と、ユーザパスワードを入力パスワードとして、制御部１４３に供給する。
【００８５】
制御部１４３は、入力部１１０から、入力パスワードを受け付けると、入力パスワードを、記憶部１２０に出力する。記憶部１２０は、入力パスワードを受け付けると、入力パスワードを、ユーザパスワードとして該当操作番号と対応付けて記憶する。
【００８６】
また、制御部１４３は、入力部１１０から、入力パスワードを受け付けると、入力パスワードと該当操作番号とを、送信部１３１に供給する。送信部１３１は、制御部１４３から入力パスワードと該当操作番号とを受け付けると、該当操作番号と携帯装置１００の装置番号とを含む機器情報に入力パスワードを付加し（ステップＳ１１０）、入力パスワードが付加された機器情報を、外部装置２００に送信する（ステップＳ１１１）。
【００８７】
外部装置２００内のＢＴ部２２０は、送信部１３１から、入力パスワードが付加された機器情報を受信すると、入力パスワードが付加された機器情報を、制御部２３０に供給する。制御部２３０は、ＢＴ部２２０から、入力パスワードが付加された機器情報を受け付けると、入力パスワードと機器情報とを、記憶部２１０に出力する。記憶部２１０は、入力パスワードと機器情報とを受け付けると、入力パスワードと機器情報とを対応付けて記憶する（ステップＳ１１２）。
【００８８】
また、携帯装置１００内の制御部１４３は、入力部１１０から、入力パスワードを受け付けると、該当操作番号に対応付けられたパスワードフラグを「１」に更新し（ステップＳ１１３）、入力部１１０は、通常操作により入力される指示を受け付ける（ステップＳ１１４）。
【００８９】
また、ステップＳ１０５で、該当操作番号に対応付けられたパスワードフラグが「１」である場合には、制御部１４３は、機器情報を、送信部１３１から外部装置２００に送信する（ステップＳ１１５）。
【００９０】
外部装置２００は、要求情報としても用いられる機器情報を受信すると、記憶部２１０内のユーザパスワードを、携帯装置１００宛てに送信する。すなわち、外部装置２００内の処理部２２１が、機器情報を受信すると、記憶部２１０内の機器情報のうち、受信した機器情報に対応付けられたユーザパスワードを、携帯装置１００宛てに送信する。
【００９１】
本実施形態では、外部装置２００内のＢＴ部２２０は、送信部１３１から機器情報を受信すると、その機能情報を、制御部２３０を介して機器情報照合部２４０に供給する。機器情報照合部２４０は、機器情報を受け付けると、その機器情報と記憶部２１０内の機器情報との照合を行い（ステップＳ１１６）、照合結果を、制御部２３０に供給する。
【００９２】
制御部２３０は、機器情報照合部２４０から、ＢＴ部２２０にて受信された機器情報が、記憶部２１０内の機器情報と一致する機器情報がなく、記憶部２１０内に機器情報が登録されていない旨の照合結果を受け付けた場合には（ステップＳ１１７）、ＢＴ部２２０に機器情報が未登録である旨の返答を、ＢＴ部２２０に供給し、ＢＴ部２２０は、その返答を携帯装置１００に送信する（ステップＳ１２１）。
【００９３】
携帯装置１００内の受信部１３２は、ＢＴ部２２０から、機器情報が未登録である旨の返答を受信すると、その返答を、制御部１４３に供給する。制御部１４３は、機器情報が未登録である旨の返答を受け付けると、“外部装置の接続違い”を表すメッセージを、表示部１４２に表示し、ユーザパスワードの解除は行わず、ステップＳ１１４に進む。
【００９４】
ステップＳ１１７で、制御部２３０は、機器情報照合部２４０から、ＢＴ部２２０にて受信された機器情報が、記憶部２１０内の機器情報と一致する旨の照合結果を受け付けると、記憶部２１０を参照し、機器情報に対応付けられたユーザパスワードを、ＢＴ部２２０から携帯装置１００に送信する（ステップＳ１１８）。
【００９５】
携帯装置１００内の受信部１３２は、ＢＴ部２２０からユーザパスワードを受信する（ステップＳ１１９）と、ユーザパスワードを自動入力するために、制御部１４３にユーザパスワードを供給する。制御部１４３は、受信部１３２から、ユーザパスワードを受け付け、そのユーザパスワードと記憶部１２０内のユーザパスワードとが一致すると、ユーザパスワードの解除を行い、秘匿対象機能の使用を許可する（ステップＳ１２０）。その後、入力部１１０は通常操作により入力される指示を受け付ける。
【００９６】
なお、本実施形態では、Ｂｌｕｅｔｏｏｔｈ機能を有するＢＴ部１３０および２２０を用いて、携帯装置１００と外部装置２００との間の通信を行う例について説明したが、Ｂｌｕｅｔｏｏｔｈ以外の通信技術が用いられてもよい。
【００９７】
第１実施形態によれば、所定のパスワードとして携帯装置１００のユーザを特定するためのユーザパスワードを記憶する外部装置２００と通信可能な携帯装置１００では、記憶部１２０が、ユーザパスワードを記憶する。入力部１１０が、ユーザ操作により入力される、携帯装置１００が有する秘匿対象機能の実行指示を受け付けると、送信部１３１が、ユーザパスワードを要求する旨の要求情報を、外部装置２００宛てに送信する。送信部１３１が、要求情報を送信した後に、受信部１３２がユーザパスワードを受信すると、処理部１４０は、受信部１３２が受信したユーザパスワードが、記憶部１２０内のユーザパスワードと一致すると、携帯装置１００が有する秘匿対象機能の使用を許可する。
【００９８】
よって、携帯装置１００は、ユーザパスワードの入力が必要な秘匿対象機能の実行指示を受け付けるたびに、要求情報を外部装置２００宛てに送信し、外部装置２００から、ユーザパスワードを受信する。そして、携帯装置１００は、受信部１３２がユーザパスワードを受信するたびに、受信部１３２が受信したユーザパスワードが、記憶部１２０内のユーザパスワードと一致するか否かを判断し、受信部１３２が受信したユーザパスワードが、記憶部１２０内のユーザパスワードと一致すると、秘匿対象機能の使用を許可する。
【００９９】
したがって、携帯装置１００が一度使用を許可した秘匿対象機能であっても、入力部１１０が新たに秘匿対象機能の実行指示を受け付けると、携帯装置１００が要求情報を外部装置２００に送信し、要求情報を受信した外部装置２００からユーザパスワードが受信されなければ、秘匿対象機能の使用は許可されない。
【０１００】
よって、ユーザが秘匿対象機能を使用した後、例えば、携帯装置１００の盗難、紛失、置き忘れ等により、ユーザ以外の者によって秘匿対象機能の実行指示が入力される状況でも、外部装置２００からユーザパスワードが受信されなければ、携帯装置１００は、ユーザパスワードを取得できないので、秘匿対象機能の使用を許可しない。
【０１０１】
このため、携帯装置１００は、特定の者にのみ秘匿対象機能の使用を許可するシークレット機能の向上を図ることが可能となる。
【０１０２】
また、本実施形態では、携帯装置１００は、複数の秘匿対象機能を有するものであり、記憶部１２０が、秘匿対象機能ごとに、ユーザを特定するためのユーザパスワードと、秘匿対象機能を識別する識別情報と、を互いに対応付けて記憶する。入力部１１０が秘匿対象機能のいずれかの機能の実行指示を受け付けると、送信部１３１は、識別情報のうち、その秘匿対象機能を識別する該当識別情報（特定識別情報）に対応付けられた所定のパスワードを要求する旨の要求情報を、外部装置２００宛てに送信する。そして、処理部１４０が、受信部１３２が受信したユーザパスワードが、該当識別情報に対応付けられた所定のパスワードと一致すると、該当識別情報にて識別された機能の使用を許可する。
【０１０３】
このため、携帯装置１００は、複数の秘匿対象機能のいずれかの該当機能の実行指示を受け付けると、該当機能を識別する該当識別情報に対応付けられたユーザパスワードの取得を行う。そして、携帯装置１００は、その取得したユーザパスワードが、該当識別情報に対応付けられたユーザパスワードと一致すると、該当識別情報にて識別された秘匿対象機能の使用を許可する。よって、携帯装置１００は、秘匿対象機能ごとに、秘匿対象機能の使用の許可の判断を適切に行うことが可能となる。
【０１０４】
次に、ユーザパスワードを外部装置２００に登録する際に、登録先の外部装置２００を特定する装置番号照合部１４４を備える携帯装置１０１について説明する。
【０１０５】
図４は、本発明の第２実施形態における携帯装置１０１の構成例を示す図である。図４には、装置番号照合部１４４以外の構成は、図１に示した携帯装置１００の構成と基本的に同様の構成である。なお、本実施形態における外部装置の構成も、図２に示した外部装置２００と基本的に同様の構成である。
【０１０６】
図４では、記憶部２１０は、外部装置２００の外部装置番号を記憶する。外部装置番号は、外部装置２００ごとに一意に決められた固有番号である。
【０１０７】
記憶部１２０は、外部装置番号と、装置番号フラグと、を互いに対応付けて記憶する。装置番号フラグは、外部装置番号が登録済みか、未登録か、を判別するために用いられる。本実施形態では、装置番号フラグは、外部装置番号が登録済みである場合に「１」を示し、外部装置番号が未登録である場合に「０」を示す。
【０１０８】
装置番号照合部１４４は、外部装置２００から受信された外部装置番号と、記憶部１２０内の外部装置番号とを照合する。よって、装置番号照合部１４４は、ユーザパスワードを登録する登録先の外部装置２００を正しく特定することが可能となる。
【０１０９】
図５は、第２実施形態でのパスワード取得方法の処理手順例を示すフローチャートである。図５では、ステップＳ２０１〜Ｓ２０９以外の処理は、図３に示したフローチャートの処理と同様であるので、ここでは、主に、ステップＳ２０１〜Ｓ２０９について説明する。なお、図５では、ステップＳ１１５〜Ｓ１２０の処理が省略されている。
【０１１０】
まず、ステップＳ１０１で携帯装置１０１と外部装置２００とが接続可能な状態に設定された後、制御部１４３は、記憶部１２０内の装置番号フラグを参照し、外部装置２００の外部装置番号が取得済みか否かの確認を行う（ステップＳ２０１）。
【０１１１】
携帯装置１００が外部装置２００と初めて接続する場合には、装置番号フラグは「０」を示す（ステップＳ２０２）ので、制御部１４３は、外部装置番号の取得命令として、装置番号要求を、ＢＴ部１３０に供給する。ＢＴ部１３０は、制御部１４３から、装置番号要求を受け付けると、その装置番号要求を、外部装置２００に送信する（ステップＳ２０３）。
【０１１２】
外部装置２００内のＢＴ部２２０は、ＢＴ部１３０から、装置番号要求を受信すると、その装置番号要求を、制御部２３０に供給する。制御部２３０は、ＢＴ部２２０から装置番号要求を受け付けると、記憶部２１０内の外部装置番号を、ＢＴ部２２０から携帯装置１０１に送信する。
【０１１３】
携帯装置１０１内の受信部１３２は、ＢＴ部２２０から、外部装置番号を受信する（ステップＳ２０４）と、外部装置番号を、制御部１４３に供給する。制御部１４３は、受信部１３２から、外部装置番号を受け付けると、外部装置番号を記憶部１２０に登録する（ステップＳ２０５）。そして、制御部１４３は、装置番号フラグを「１」に更新する。その後、通常操作に戻る（ステップＳ１０２）。
【０１１４】
また、ステップ１０６で、ユーザパスワードの外部装置２００への登録を促す登録メッセージを、表示部１４２に表示し、入力部１１０から、ユーザパスワードの登録を指示する登録指示を受け付けると、制御部１４３は、ＢＴ部１３０を介して、外部装置番号の取得命令として、装置番号要求を、外部装置２００に送信する（ステップＳ２０６）。
【０１１５】
外部装置２００内のＢＴ部２２０は、装置番号要求を受信すると、その装置番号要求を、制御部２３０に供給する。制御部２３０は、ＢＴ部２２０から装置番号要求を受け付けると、記憶部２１０内の外部装置番号を、ＢＴ部２２０から携帯装置１００に送信する。
【０１１６】
携帯装置１００内のＢＴ部１３０は、外部装置番号を受信すると、その外部装置番号を、制御部１４３を介して装置番号照合部１４４に供給する（ステップＳ２０７）。装置番号照合部１４４は、外部装置番号を受け付けると、その外部装置番号と記憶部１２０内の外部装置番号とを比較し（ステップＳ２０８）、その比較結果を、制御部１４３に供給する。
【０１１７】
制御部１４３は、装置番号照合部１４４から、ＢＴ部１３０にて受信された外部装置番号と、記憶部１２０内の外部装置番号が一致する旨の比較結果を受け付けると、ユーザパスワードの入力画面を、表示部１４２に表示する。よって、入力部１１０は、ユーザ操作によるユーザパスワードの入力の待ち状態となる。そして、入力部１１０は、ユーザ操作により入力されたユーザパスワードを受け付ける（ステップＳ１０９）。なお、ステップＳ１０９〜Ｓ１１４の処理は、図３に示した処理と同様である。
【０１１８】
一方、制御部１４３は、装置番号照合部１４４から、ＢＴ部１３０にて受信された外部装置番号と、記憶部１２０内の外部装置番号が一致しない旨の比較結果を受け付けると、“外部装置の接続違い”を表すメッセージを、表示部１４２に表示し、ユーザパスワードの解除を行わない。そして、入力部１１０は、通常操作により入力される指示を受け付ける（ステップＳ１１４）。
【０１１９】
第２実施形態によれば、装置番号照合部１４４が、外部装置２００から受信された外部装置番号と、記憶部１２０内の外部装置番号と、を比較することにより、外部装置２００を特定することが可能となる。よって、第２実施形態では、第１実施形態と異なり、外部装置２００を特定するための外部装置用のパスワードをユーザが入力する手間を省くことができる。
【０１２０】
なお、各実施形態では、携帯装置１００のユーザは、ユーザパスワードを外部装置２００に一度登録しておけば、ユーザパスワードの入力を携帯装置１００にすることなく、秘匿対象機能を使用できるようになる。
【０１２１】
また、携帯装置１００の盗難、紛失、置き忘れにより、ユーザ以外の者に使用されたとしても、外部装置２００が携帯装置１００と通信可能な距離内になければ、携帯装置１００は、秘匿対象機能の使用を許可しない。よって、携帯装置１００は、ユーザ以外の者による不正使用を防止することが可能となる。
【０１２２】
また、外部装置２００は、ユーザパスワードと装置番号と操作番号とを互いに対応付けて記憶することにより、複数の携帯装置１００ごとに、携帯装置１００のユーザパスワードを携帯装置１００に正しく送信することができるようになる。よって、ユーザは、外部装置２００を携帯装置１００ごとに所持する必要がなくなる。
【０１２３】
以上説明した実施形態において、図示した構成は単なる一例であって、本発明はその構成に限定されるものではない。
【符号の説明】
【０１２４】
１００、１０１  携帯装置
１１０  入力部
１２０、２１０  記憶部
１３０、２２０  ＢＴ部
１３１  送信部
１３２  受信部
１４０、２２１  処理部
１４１  無線通信部
１４２  表示部
１４３、２３０  制御部
１４４  装置番号照合部
２００  外部装置
２４０  機器情報照合部
２５０  ＰＷ照合部
【図１】
2012103783.tif 000003
【図２】
2012103783.tif 000004
【図３】
2012103783.tif 000005
【図４】
2012103783.tif 000006
【図５】
2012103783.tif 000007